(57)【要約】【課題】紐通し孔が開けられた枚葉紙が薄かったり綴じる枚数が多かったりした場合でも、複数枚重ねられた枚葉紙の全ての紐通し孔に確実、且つ、容易に綴じ紐を通すことができる紐通し器を提供する。【解決手段】枚葉紙１４に開けられた綴じ紐１５を通すための紐通し孔１４ａを貫通する外径を有し、両端開口を連通すると共に両端開口を入口或いは出口にして綴じ紐１５を貫通させる内部貫通空間を有する紐通し管１１と、枚葉紙１４を載置する載置部１６、及び載置部１６に開けられて紐通し管１１の端部を自在に抜き差しすることができ、差込時、紐通し管１１を立てた状態に保持する管取付穴１２を有する台１３とを有する。【選択図】図１
2005262451.tif 000002
【特許請求の範囲】
【請求項１】
枚葉紙に開けられた綴じ紐を通すための紐通し孔を貫通する外径を有し、両端開口を連通すると共に前記両端開口を入口或いは出口にして前記綴じ紐を貫通させる内部貫通空間を有する紐通し管と、
前記枚葉紙を載置する載置部、及び前記載置部に開けられて前記紐通し管の端部を自在に抜き差しすることができ、差込時、前記紐通し管を立てた状態に保持する管取付穴を有する台と
を有する紐通し器。
【請求項２】
前記紐通し管は、
前記管取付穴に差し込んだ際、前記管取付穴の底面との間に間隙を有するように端面を傾斜させて形成した傾斜開口を有する請求項１に記載の紐通し器。
【請求項３】
前記紐通し管は、前記管取付穴に差し込まれた周壁部分に管体長手方向に沿って段差を形成する周壁段部を有し、
前記管取付穴は、前記紐通し管の前記管取付穴への差込時に前記周壁段部が密着係止して前記紐通し管の周方向への回動を阻止する、係止部を有する請求項１または２に記載の紐通し器。
【請求項４】
前記紐通し管は、
両端部の何れも前記管取付穴へ差し込むことができるように、前記両端部の差込部分が同一形状を有する請求項１から３のいずれかに記載の紐通し器。
【請求項５】
前記載置部に載置された枚葉紙に覆われる前記載置部の管取付穴内側に、前記管取付穴を内包して形成され、前記内部貫通空間に前記綴じ紐を貫通させて前記管取付穴に差し込んだ前記紐通し管の挿入端側開口から延び出た前記綴じ紐を、前記載置部に飛び出ないように収納する、凹部状の紐溜まり部を有する請求項１から４のいずれかに記載の紐通し器。
【請求項６】
前記紐溜まり部は、
底面に、前記紐通し管の差込端側開口から延び出た前記綴じ紐を巻き取ることができる突起部を有する請求項５に記載の紐通し器。
【請求項７】
前記台は、前記載置部に載置された枚葉紙の２つの紐通し孔を貫通することができるように、前記２つの紐通し孔に一致する間隔を有して開けられた２個の前記管取付穴を有し、前記２個の管取付穴にそれぞれ差し込まれる２本の前記紐通し管を有する請求項１から６のいずれかに記載の紐通し器。
【請求項８】
前記台を取り外し可能に組み込んで一体化させ前記載置部を拡大した拡大載置部を形成する補助台を有する請求項１から７のいずれかに記載の紐通し器。
【発明の詳細な説明】
【技術分野】
【０００１】
この発明は、紐通し器に関し、特に、伝票等の綴じ紐を通す紐通し孔が開けられた枚葉紙を積み重ねて綴じるために、積み重ねた複数の枚葉紙の紐通し孔に簡単に綴じ紐を通すことができる紐通し器に関する。
【背景技術】
【０００２】
従来、紐を通すための２つの紐通し孔が開けられた枚葉紙が知られている。このような枚葉紙としては、例えば伝票等があり、複数枚重ねられた伝票の２つの紐通し孔に１本の綴じ紐を通し、綴じ紐の両端を両紐通し孔間で結ぶことにより、複数枚の伝票、即ち枚葉紙を一つに纏めて綴じることができる。
【０００３】
このように伝票を綴じる場合、複数枚の伝票を重ね合わせて束にした後、２つの紐通し孔のそれぞれに綴じ紐の一端ずつを通す。このとき、綴じ紐は、全ての伝票の紐通し孔を確実に通り抜けることが必要である。従って、綴じ紐を紐通し孔に通す際、紐通し孔が一本の孔として連通するように、各伝票のズレや飛び出し等を調整して正確に重ね合わせた伝票の束を形成しなければならない。
【発明の開示】
【発明が解決しようとする課題】
【０００４】
しかしながら、紐通し孔が一本の孔として連通するように、各伝票のズレや飛び出し等を調整して正確に重ね合わせた伝票の束を形成するのは簡単でなく、特に、伝票が薄かったり綴じる枚数が多かったりした場合は、各伝票のズレや飛び出し等の調整が容易でなく正確に重ね合わせるのに手間が掛かってしまう。
【０００５】
この発明の目的は、紐通し孔が開けられた枚葉紙が薄かったり綴じる枚数が多かったりした場合でも、複数枚重ねられた枚葉紙の全ての紐通し孔に確実、且つ、容易に綴じ紐を通すことができる紐通し器を提供することである。
【課題を解決するための手段】
【０００６】
上記目的を達成するため、この発明に係る紐通し器は、枚葉紙に開けられた綴じ紐を通すための紐通し孔を貫通する外径を有し、両端開口を連通すると共に前記両端開口を入口或いは出口にして前記綴じ紐を貫通させる内部貫通空間を有する紐通し管と、前記枚葉紙を載置する載置部、及び前記載置部に開けられて前記紐通し管の端部を自在に抜き差しすることができ、差込時、前記紐通し管を立てた状態に保持する管取付穴を有する台とを有している。
【０００７】
上記構成を有することにより、紐通し管は、枚葉紙に開けられた綴じ紐を通すための紐通し孔を貫通することができると共に、両端開口を連通する内部貫通空間に、両端開口を入口或いは出口にして綴じ紐を貫通させることができ、また、台は、枚葉紙を載置する載置部に開けられて紐通し管の端部を自在に抜き差しすることができる管取付穴を有し、この管取付穴に差し込んだ紐通し管を立てた状態に保持することができる。
【発明の効果】
【０００８】
以上説明したように、この発明によれば、紐通し管は、枚葉紙に開けられた綴じ紐を通すための紐通し孔を貫通することができると共に、両端開口を連通する内部貫通空間に、両端開口を入口或いは出口にして綴じ紐を貫通させることができ、また、台は、枚葉紙を載置する載置部に開けられて紐通し管の端部を自在に抜き差しすることができる管取付穴を有し、この管取付穴に差し込んだ紐通し管を立てた状態に保持することができるので、紐通し孔が開けられた枚葉紙が薄かったり綴じる枚数が多かったりした場合でも、複数枚重ねられた枚葉紙の全ての紐通し孔に確実、且つ、容易に綴じ紐を通すことができる。
【発明を実施するための最良の形態】
【０００９】
以下、この発明を実施するための最良の形態について図面を参照して説明する。
【００１０】
図１は、この発明の一実施の形態に係る紐通し器の構成を分解して示す説明図であり、図２は、図１の紐通し管を示し、（ａ）は正面から見た図、（ｂ）は側面から見た図、（ｃ）は裏面から見た図である。
【００１１】
図１に示すように、紐通し器１０は、２本の紐通し管１１と、２本の紐通し管１１を自在に差し込み或いは引き抜くことができる管取付穴１２が開けられた台１３とを有している。この紐通し器１０により、積み重ねた複数枚の枚葉紙１４に綴じ紐１５を簡単に通すことができる。枚葉紙１４には、その一辺に沿って一定間隔で並ぶ２個の紐通し孔１４ａが開けられている。このような枚葉紙１４として、例えば伝票がある。
【００１２】
図２に示すように、各紐通し管１１は、紐通し孔１４ａを貫通することができる単一外径（（ａ）参照）の円筒管からなり、両端開口を連通する内部貫通空間を有する。この内部貫通空間には、紐通し管１１の両端開口を入口或いは出口にして綴じ紐１５を貫通させることができる。
【００１３】
紐通し管１１の両開口端は、紐通し管１１の端部を台１３の管取付穴１２に差し込んだ際に管取付穴１２の底面との間に間隙を得るための、角度αからなる傾斜端面１１ａを有している（（ｂ）参照）。角度αは、傾斜端面１１ａにより、管取付穴１２の底面との間に綴じ紐１５を通すことができる間隙を確保できるものであれば良く、例えば１５０度（（ｂ）における先端角度３０度）とする。
【００１４】
この紐通し管１１は、傾斜端面１１ａを含む一端側が管取付穴１２に差し込まれるが、そのとき管取付穴１２の内部に位置する周壁差込部分に、管体長手方向に沿う段差を形成する周壁段部１１ｂを有している（（ｂ），（ｃ）参照）。周壁段部１１ｂは、紐通し管１１の管体長手方向に沿って内部貫通空間が縦長矩形状に開口するように、管軸線と平行に周壁を切除して形成されている。
【００１５】
この周壁段部１１ｂに対応して、管取付穴１２を形成する台１３の壁部には、紐通し管１１の差し込み時、周壁段部１１ｂに密着するように穴内部に突出する係止部（図示しない）が形成されている。この係止部に、管取付穴１２に差し込んだ紐通し管１１の周壁段部１１ｂが密着係止することで、紐通し管１１の周方向への回動が阻止される。
【００１６】
なお、各紐通し管１１は、差込方向を限定することなく両端部の何れも管取付穴１２に差し込むことができるように、両端部の管取付穴１２への差込部分が同一の形状を有している（（ａ），（ｂ），（ｃ）参照）。
【００１７】
２本の紐通し管１１には、所要の枚数の枚葉紙１４を綴じることができる長さの１本の綴じ紐１５の両端がそれぞれ挿入されている。綴じ紐１５の各端は、両紐通し管１１の一方の端（上端）から僅かに突出し、両紐通し管１１の他方の端（下端）から延び出た部分は、綴じ紐１５の余剰部分として両紐通し管１１の間に露出している（図１参照）。
【００１８】
図１に示すように、台１３は、枚葉紙１４を載置するための矩形状の平坦面からなる載置部１６、及び載置部１６の周縁下方に突設された側壁１７を有しており、載置部１６の一方の短辺側には、２個の管取付穴１２が開けられている。２個の管取付穴１２は、各管取付穴１２に差し込んだ２本の紐通し管１１が枚葉紙１４の２つの紐通し孔１４ａを貫通することができるように、２つの紐通し孔１４ａの間隔に一致する間隔を有している。
【００１９】
各管取付穴１２は、紐通し管１１の端部を自在に抜き差しでき、且つ、差込時には紐通し管１１を略直立状態に保持することができるように、その内径や深さや形状等を紐通し管１１の端部に対応させて形成している。従って、２本の紐通し管１１は、管取付穴１２に端部を差し込むことで載置部１６にほぼ直立させると共に、管取付穴１２から引き抜いて載置部１６から取り外すこともできる。
【００２０】
この台１３には、載置部１６の管取付穴１２の内側、即ち、載置された枚葉紙１４に覆われる場所に、管取付穴１２を内包する紐溜まり部１８が形成されている。略Ｕ字状の平面形状を有する紐溜まり部１８は、載置部１６表面を凹部状に掘り下げて形成され、略Ｕ字状の両開放端部分を通って外側に延ばした直線状部の両端部分に管取付穴１２が位置している。この紐溜まり部１８には、内部貫通空間に綴じ紐１５を貫通させた紐通し管１１の端部を管取付穴１２に差し込んだ際に、差込端側開口である傾斜端面１１ａから延び出た綴じ紐１５（図１参照）を、載置部１６に飛び出ないように収納することができる。
【００２１】
また、紐溜まり部１８の底面には、円柱状で載置部１６から突出しない高さの突起部１９が形成されている。この突起部１９により、紐通し管１１の差込端側開口、即ち、紐通し管１１の下端側の傾斜端面１１ａから紐溜まり部１８内に延び出た綴じ紐１５を巻き取ることができ、綴じ紐１５の余剰部分を紐溜まり部１８内に確実、且つ、コンパクトに収納することができる。
【００２２】
図３は、図１の台の裏面側を示す平面図である。図３に示すように、台１３は、載置部１６の裏面側に複数の補強用リブを有している。第１のリブ２０ａは、紐溜まり部１８の突起部１９形成位置を通って載置部１６の対向する短辺間に掛け渡され、第２のリブ２０ｂは、紐通し孔１４ａと載置部１６の短辺間に掛け渡され、第３のリブ２０ｃは、第１のリブ２０ａと交差して載置部１６の対向する長辺間に掛け渡されている。これらのリブ２０ａ，２０ｂ，２０ｃにより、台１３の載置部１６及び側壁１７を薄板により形成しても必要な強度を確保することができる。
【００２３】
上記構成を有する紐通し器１０を使用して積み重ねた複数枚の枚葉紙１４に綴じ紐１５を通す方法を説明する。先ず、２本の紐通し管１１に、両端それぞれが両紐通し管１１の上端に達するように１本の綴じ紐１５を通した後、両紐通し管１１の下端から延び出た綴じ紐１５の余剰部分を紐溜まり部１８内に位置させて、両紐通し管１１の下端を２つの管取付穴１２のそれぞれに差し込む。両管取付穴１２に差し込まれた各紐通し管１１は、枚葉紙１４の２つの紐通し孔１４ａの間隔と同一の間隔を有して載置部１６に突設される。
【００２４】
次に、２本の紐通し管１１の上端に２つの紐通し孔１４ａを合わせて、２本の紐通し管１１がそれぞれ各紐通し孔１４ａを貫通するように、枚葉紙１４を載置部１６に載せる。その後、同様にして、載置部１６に置いた枚葉紙１４の上に枚葉紙１４を積み重ねて行く。積み重ねた枚葉紙１４が綴じるべき枚数に達したなら、最上位の枚葉紙１４から突出している紐通し管１１の上部を手に持って、２本の紐通し管１１を何れも上方へ引き抜き、管取付穴１２から外す。
【００２５】
上方へと引き抜いた紐通し管１１が、積み重ねられた枚葉紙１４の紐通し孔１４ａを抜けて最上位の枚葉紙１４の上方へと外れると、内部貫通空間を貫通していた綴じ紐１５は積み重ねられた枚葉紙１４の紐通し孔１４ａ内にそのまま残されることになり、最上位の枚葉紙１４の紐通し孔１４ａの上方に、綴じ紐１５の上端が露出する。
【００２６】
つまり、綴じ紐１５の両端は、一方が、最下位の枚葉紙１４の一方の紐通し孔１４ａから、積み重ねられた全ての枚葉紙１４の一方の紐通し孔１４ａを通り抜けて、最上位の枚葉紙１４の一方の紐通し孔１４ａの上方へと飛び出た状態になり、他方は、同様に、枚葉紙１４の他方の紐通し孔１４ａを通り抜けその上方へと飛び出た状態になる。
【００２７】
次に、最上位の枚葉紙１４の上方に飛び出た綴じ紐１５の両端を、更に上へと引き出して、紐溜まり部１７内に収納されていた綴じ紐１５の余剰部分を引き延ばす。綴じ紐１５を引き延ばすことにより、最下位の枚葉紙１４の裏面に綴じ紐１５が密着する。この状態で、最上位の枚葉紙１４の両紐通し孔１４ａから飛び出ている綴じ紐１５の両端側を結ぶ。これにより、積み重ねられた全ての枚葉紙１４は、綴じ紐１５により綴じられた枚葉紙１４の束として、載置部１６に残される。
【００２８】
図４は、図１の紐通し器に補助台を装着した斜視図である。図４に示すように、補助台２１は、紐通し器１０に装着して使用するものであり、平面形状が略Ｕ字状に形成されて一辺側に開口する開口空間２１ａを有する他は、台１３と同一の高さ及び同様な構造を有している。開口空間２１ａは、台１３を密着状態に組み込んで一体化することができるように台１３の外径形状とほぼ一致する形状を有している。このため、開口空間２１ａの開口部に台１３の管取付穴１２側の辺を位置させて、開口空間２１ａ内に台１３を組み込むことにより、台１３は、開口空間２１ａに密着係止した状態となって補助台２１と一体化する。
【００２９】
台１３と一体化した補助台２１は、その高さが台１３と同一なので、台１３の載置部１６が補助台２１の上面まで拡大されることになる。即ち、補助台２１は、載置部１６を拡大した拡大載置部を形成し、枚葉紙１４を載置する面積を広げることができる。なお、補助台２１に組み込まれた紐通し器１０は、例えば、下方に押し出すことにより補助台２１から取り外すことができる。
【００３０】
この補助台２１を用いて枚葉紙１４を載置する面積を容易に広げることができるので、補助台２１を備えることにより、紐通し器１０の載置部１６より大きな面積の枚葉紙１４を含む、大きさが異なる複数種類の枚葉紙１４に対しても、紐通し器１０の使用が可能となる。その上、綴じ込む枚葉紙１４の大きさが変わったとしても、その大きさに合わせて臨機応変に対応することができる。
【００３１】
図５は、図１の紐通し管に装着する蓋の斜視図である。図５に示すように、蓋２２は、手に持ち易い平板状の把持部２２ａと、把持部２２ａの下面側に突設された２本の管受け部２２ｂ，２２ｃとを有する。２本の管受け部２２ｂ，２２ｃは、それぞれ各紐通し管１１の上端を挿入することができる形状及び内径の円筒からなり、２本の紐通し管１１の間隔に一致する間隔を有して配置されている。また、２本の管受け部２２ｂ，２２ｃは、それぞれの長さ、即ち、把持部２２ａからの突出量が異なっており、例えば、管受け部２２ｃは管受け部２２ｂより全長が長い（図５参照）。
【００３２】
この蓋２２を紐通し管１１に装着する場合、蓋２２を２本の紐通し管１１の上に位置させ、先ず、長い方の管受け部２２ｃを一方の紐通し管１１に被せるようにして、一方の紐通し管１１の上端を管受け部２２ｃ内に挿入し、一方の紐通し管１１を挿入したまま、次に、短い方の管受け部２２ｂを他方の紐通し管１１に被せるようにして、他方の紐通し管１１の上端を管受け部２２ｂ内に挿入する。これにより、始めに長い方の管受け部２２ｃに一方の紐通し管１１を挿入させれば、短い方の管受け部２２ｂを容易に他方の紐通し管１１の上に位置させることができる。
【００３３】
よって、例えば、２つの管受け部２２ｂ，２２ｃが同一長さである場合、２つの管受け部２２ｂ，２２ｃに同時に２本の紐通し管１１を挿入しなければならなかったのが、長い方から短い方へと一方ずつ順番に挿入することができるので、簡単、且つ、確実に蓋２２を紐通し管１１に装着することができる。この蓋２２を紐通し管１１に装着することにより、紐通し管１１を通して載置部１６に載置した枚葉紙１４が紐通し管１１から外れてしまうことを防止することができる上に、紐通し管１１の上端を露出させないので見栄えを良くすることができる。
【００３４】
なお、蓋２２は、平板状の把持部２２ａと２本の管受け部２２ｂ，２２ｃにより形成するものに限られず、把持部を、丸棒や管体等を用いて或いは様々な装飾を施して形成しても良く、管受け部を、管受け部それ自体が紐通し管１１の内部貫通空間に挿入されるようにしても良く、枚葉紙１４が紐通し管１１から外れてしまうのを防ぐと共に、紐通し管１１の上端を露出させないようにすることができれば良い。
【００３５】
このように、この発明によれば、紐通し孔１４ａが開けられた枚葉紙１４が薄かったり綴じる枚数が多かったりした場合でも、複数枚重ねられた枚葉紙１４の全ての紐通し孔１４ａに確実、且つ、容易に綴じ紐１５を通すことができる。例えば、日常の商取引において発行される数多くの伝票を整理する際、紐通し器１０の載置部１６に順番に積み重ねて行き、必要に応じて紐通し管１１を引き抜けば、綴じ紐１５が既に紐通し孔１４ａを通っており、そのまま綴じ紐を結んで伝票を綴じることができる。
【００３６】
なお、上述した実施の形態において、紐通し器１０の台１３に２本の紐通し管１１が装着されている例を示したが、紐通し管１１は２本に限るものではなく、１本でも良い。この場合、１個の紐通し穴１４ａを貫通する綴じ紐１５により綴じることができ、例えば、紐通し孔１４ａが１個のみ開けられた枚葉紙１４にも対応することができる。
【図面の簡単な説明】
【００３７】
【図１】この発明の一実施の形態に係る紐通し器の構成を分解して示す説明図である。
【図２】図１の紐通し管を示し、（ａ）は正面から見た図、（ｂ）は側面から見た図、（ｃ）は裏面から見た図である。
【図３】図１の台の裏面側を示す平面図である。
【図４】図１の紐通し器に補助台を装着した斜視図である。
【図５】図１の紐通し管に装着する蓋の斜視図である。
【符号の説明】
【００３８】
１０  紐通し器
１１  紐通し管
１１ａ  傾斜端面
１１ｂ  周壁段差
１２  管取付穴
１３  台
１４  枚葉紙
１４ａ  紐通し孔
１５  綴じ紐
１６  載置部
１７  側壁
１８  紐溜まり部
１９  突起部
２０ａ  第１のリブ
２０ｂ  第２のリブ
２０ｃ  第３のリブ
２１  補助台
２１ａ  開口空間
２２  蓋
２２ａ  把持部
２２ｂ，２２ｃ  管受け部
α  角度
【図１】
2005262451.tif 000003
【図２】
2005262451.tif 000004
【図３】
2005262451.tif 000005
【図４】
2005262451.tif 000006
【図５】
2005262451.tif 000007